(57)【要約】      （修正有）【課題】操作性を一層向上させた電子機器を提供する【解決手段】電子機器４は、楽曲を再生する再生部１４０と、楽曲のテンポを示すテンポ情報を項目として含む楽曲の一覧情報を表示する表示部１００とを備える。一覧情報内の楽曲を前記テンポ情報によってソートするソート部を更に備え、表示部１００は、前記テンポ情報によってソートされた前記一覧情報を表示するようにしてもよい。楽曲のテンポを表示し、テンポに基づいて所望の楽曲を再生することができる。また、筐体を振るテンポに合った楽曲を自動的に再生することができる。【選択図】図２
2013054335.tif 000002
【特許請求の範囲】
【請求項１】
楽曲を再生する再生部と、
楽曲のテンポを示すテンポ情報を項目として含む楽曲の一覧情報を表示する表示部と
を備えることを特徴とする電子機器。
【請求項２】
請求項１に記載の電子機器において、
前記一覧情報内の楽曲を前記テンポ情報によってソートするソート部を更に備え、
前記表示部は、
前記テンポ情報によってソートされた前記一覧情報を表示することを特徴とする電子機器。
【請求項３】
請求項１又は請求項２に記載の電子機器において、
前記一覧情報内の楽曲を前記テンポ情報によって複数のグループにグループ化するグループ化部を更に備え、
前記表示部は、
前記テンポ情報によってグループ化された前記一覧情報を表示することを特徴とする電子機器。
【請求項４】
請求項１から請求項３の何れか１項に記載の電子機器において、
筐体の動きを検出する動き検出部と、
再生する楽曲を選択する選択部と
を更に備え、
前記選択部は、
前記動き検出部によって検出された筐体の動きのテンポに基づいて、前記一覧情報内の楽曲から再生する楽曲を選択することを特徴とする電子機器。
【請求項５】
請求項４に記載の電子機器において、
前記再生部は、
楽曲の再生中に、当該再生中の楽曲のテンポと異なる筐体の動きのテンポが前記動き検出部によって検出され、前記選択部によって当該再生中の楽曲と異なる他の楽曲が選択されたときは、当該再生中の楽曲に代えて、当該他の楽曲を再生することを特徴とする電子機器。
【請求項６】
請求項１から請求項５の何れか１項に記載の電子機器において、
前記テンポ情報は、
楽曲の全再生時間のテンポの平均値、楽曲の所定の再生時間毎のテンポの最大値、又は、楽曲の所定の再生時間毎のテンポの最小値のうち、２以上から構成されることを特徴とする電子機器。
【発明の詳細な説明】
【技術分野】
【０００１】
本発明は、電子機器に関するものである。
【背景技術】
【０００２】
従来、種々のセンサを備える電子機器が知られている（例えば、特許文献１参照）。
【先行技術文献】
【特許文献】
【０００３】
【特許文献１】特開２０１０−２５０６０８号公報
【発明の概要】
【発明が解決しようとする課題】
【０００４】
しかしながら、従来の電子機器の場合、ユーザの操作性に改善の余地がある。本発明は、操作性を一層向上させた電子機器を提供する。
【課題を解決するための手段】
【０００５】
上記問題を解決するために、本発明の一実施形態に係る電子機器は、楽曲を再生する再生部と、楽曲のテンポを示すテンポ情報を項目として含む楽曲の一覧情報を表示する表示部とを備えることを特徴とする。
【０００６】
上記電子機器において、前記一覧情報内の楽曲を前記テンポ情報によってソートするソート部を更に備え、前記表示部は、前記テンポ情報によってソートされた前記一覧情報を表示するようにしてもよい。
【０００７】
上記電子機器において、前記一覧情報内の楽曲を前記テンポ情報によって複数のグループにグループ化するグループ化部を更に備え、前記表示部は、前記テンポ情報によってグループ化された前記一覧情報を表示するようにしてもよい。
【０００８】
上記電子機器において、筐体の動きを検出する動き検出部と、再生する楽曲を選択する選択部とを更に備え、前記選択部は、前記動き検出部によって検出された筐体の動きのテンポに基づいて、前記一覧情報内の楽曲から再生する楽曲を選択するようにしてもよい。
【０００９】
上記電子機器において、前記再生部は、楽曲の再生中に、当該再生中の楽曲のテンポと異なる筐体の動きのテンポが前記動き検出部によって検出され、前記選択部によって当該再生中の楽曲と異なる他の楽曲が選択されたときは、当該再生中の楽曲に代えて、当該他の楽曲を再生するようにしてもよい。
【００１０】
上記電子機器において、前記テンポ情報は、楽曲の全再生時間のテンポの平均値、楽曲の所定の再生時間毎のテンポの最大値、又は、楽曲の所定の再生時間毎のテンポの最小値のうち、２以上から構成されるものであってもよい。
【発明の効果】
【００１１】
本発明によれば、操作性を一層向上させることができる。
【図面の簡単な説明】
【００１２】
【図１】本発明の一実施形態による電子機器４の外観模式図である。
【図２】電子機器４の機能ブロック図の一例である。
【図３】記憶部１９０に記憶される情報の一例である。
【図４】電子機器４の処理の流れを示すフローチャートの一例である。
【発明を実施するための形態】
【００１３】
以下、図面を参照しながら本発明の一実施形態について説明する。図１は、本発明の一実施形態による電子機器４の外観模式図である。図２は、電子機器４の機能ブロック図の一例である。図３は、記憶部１９０に記憶される情報の一例である。
【００１４】
電子機器４は、図１に示すように、前面部に、表示画面１２を有する。また、電子機器４は、図２に示すように、表示部（タッチパネル）１００、再生部１４０、音声出力部１５０、記憶部１９０、ソート・グループ化部２１０、選択部２２０、及び、動き検出部２３０を備える。
【００１５】
記憶部１９０は、種々の情報（例えば、楽曲、楽曲の一覧情報）を記憶する。図３（ａ）は、記憶部１９０に記憶される楽曲の一覧情報の一例である。図３（ａ）に示す楽曲の一覧情報に含まれる項目であるＢＰＭは、Ｂｅａｔｓ  Ｐｅｒ  Ｍｉｎｕｔｅの略語であって、演奏のテンポを示している。換言すれば、記憶部１９０は、楽曲のテンポを示すテンポ情報を項目として含む一覧情報を記憶する。
【００１６】
表示部１００は、表示画面１２とタッチセンサ１０から構成される。表示画面１２は、種々の情報（例えば、記憶部１９０に記憶されている楽曲の一覧情報）を表示する。即ち、表示部１００は、図３（ａ）に示すような、テンポ情報（ＢＰＭ）を項目として含む楽曲の一覧情報を表示画面１２に表示する。タッチセンサ１０は、表示画面１２へのタッチを検出する。
【００１７】
再生部１４０は、楽曲等を再生する。例えば、再生部１４０は、タッチセンサ１０を介して入力されたユーザの指示に基づいて、記憶部１９０から読み出した楽曲を再生し、音声情報を音声出力部１５０に出力する。音声出力部１５０は、再生部１４０から出力される音声情報に従って音声を外部に出力する。
【００１８】
ソート・グループ化部２１０は、一覧情報内の楽曲をテンポ情報（ＢＰＭ）によってソートする。ソート・グループ化部２１０は、タッチセンサ１０を介して入力されたユーザの指示に基づいて、記憶部１９０に記憶されている楽曲の一覧情報を、テンポ情報の値の昇順又は降順にソートしてもよい。例えば、ソート・グループ化部２１０は、タッチセンサ１０が項目「ＢＰＭ」の領域のタッチを検出する毎に、テンポ情報の値の昇順又は降順に一覧情報を繰り返しソートしてもよい。
【００１９】
なお、表示部１００は、ソート・グループ化部２１０によってソートされた一覧情報を表示する。なお、ソート・グループ化部２１０は、記憶部１９０に記憶（保持）されている一覧情報ではなく、表示部１００が表示している一覧情報（表示部１００への出力バッファに記憶されている一覧情報）をソートしてもよい。
【００２０】
また、ソート・グループ化部２１０は、一覧情報内の楽曲をテンポ情報（ＢＰＭ）によって複数のグループにグループ化する。ソート・グループ化部２１０は、タッチセンサ１０を介して入力されたユーザの指示に基づいて、記憶部１９０に記憶されている楽曲の一覧情報を、テンポ情報（ＢＰＭ）の値に従って複数のグループにグループ化してもよい。例えば、ユーザの指示として、ソート・グループ化部２１０は、タッチセンサ１０を介して、グループ数を指定する入力、及び、グループ化の方法（テンポの類似する楽曲をグループ化／テンポの異なる楽曲をグループ化）を指定する入力を受け付けた場合、楽曲を、指定された数のグループに、指定されたグループ化方法によってグループ化する。なお、表示画面１２に、グループ数、及び、グループ化の方法の指定を受け付ける入力画面を表示し、ユーザの指示を受け付けるようにしてもよい。
【００２１】
具体的には、例えば、ソート・グループ化部２１０は、グループ数「３」、及び、グループ化の方法「テンポの類似する楽曲をグループ化」を指定する入力を受け付けた場合、テンポ情報の値が全楽曲の上位３分に該当する楽曲をグループＡ（アップテンポのグループ）に、下位３分の１に該当する楽曲をグループＣ（スローテンポのグループ）に、残りの楽曲をグループＢ（普通のテンポのグループ）に、割り当てる。また、ソート・グループ化部２１０は、グループ数「３」、及び、グループ化の方法「テンポの異なる楽曲をグループ化」を指定する入力を受け付けた場合、テンポ情報の値の昇順（又は降順）に楽曲を１つずつ、グループＡ’、グループＢ’、グループＣ’の順に、割り当てる。
【００２２】
テンポの類似する楽曲をグループ化した場合、所望のテンポの楽曲から構成されるグループを指定し、所望のテンポの楽曲を選択的に再生し、楽しむことができる。一方、テンポの異なる楽曲をグループ化した場合、何れのグループを指定しても、テンポにばらつきのある楽曲を再生し、楽しむことができる。
【００２３】
なお、表示部１００は、ソート・グループ化部２１０によってグループ化された一覧情報を表示する。なお、ソート・グループ化部２１０は、記憶部１９０に記憶（保持）されている一覧情報ではなく、表示部１００が表示している一覧情報をグループ化してもよい。
【００２４】
動き検出部２３０は、筐体の動きを検出する。例えば、動き検出部２３０は、加速度センサである。選択部２２０は、再生部１４０によって再生する楽曲を選択する。例えば、選択部２２０は、タッチセンサ１０を介して入力されたユーザの指示に基づいて、記憶部１９０に記憶されている一の楽曲を選択する。
【００２５】
また、選択部２２０は、タッチセンサ１０を介した入力に加え、動き検出部２３０によって検出された筐体の動きのテンポに基づいて、一覧情報内の楽曲から再生する楽曲を選択する。例えば、選択部２２０は、筐体の動きのテンポに最も近いテンポの楽曲を選択する。
【００２６】
なお、再生部１４０は、楽曲の再生中に、当該再生中の楽曲のテンポと異なる筐体の動きのテンポが動き検出部２３０によって検出され、選択部２２０によって当該再生中の楽曲と異なる他の楽曲が選択されたときは、当該再生中の楽曲に代えて、当該他の楽曲を再生する。従って、例えば、ユーザがある楽曲を再生しながら筐体を振った場合に、振った筐体のテンポが、再生中の楽曲のテンポと異なっていて、かつ、再生中の楽曲よりもテンポが近い楽曲が一覧情報内に存在する場合、電子機器４は、再生中の楽曲に代えてテンポが近い楽曲を再生する。即ち、ユーザは、筐体を振るテンポを次々と変化させて、再生する楽曲を次々と切り替えることができる。
【００２７】
図４は、電子機器４の処理の流れを示すフローチャートの一例である。動き検出部２３０は、筐体の動きを検出する（ステップＳ３００）。選択部２２０は、筐体の動きのテンポに基づいて、再生する楽曲を選択する（ステップＳ３０２）。再生部１４０は、選択された楽曲を再生する（ステップＳ３０４）。そして図４のフローチャートは終了する。
【００２８】
以上、電子機器４によれば、操作性を一層向上させることができる。つまり、楽曲のテンポを表示し、テンポに基づいて所望の楽曲を再生することができる。また、筐体を振るテンポに合った楽曲を自動的に再生することができる。
【００２９】
なお、記憶部１９０が記憶する楽曲の一覧情報（表示部１００に表示される楽曲の一覧情報）において、テンポ情報であるＢＰＭは、図３（ａ）に示すように、１楽曲について１個であったが、ＢＰＭは、１楽曲について２以上あってもよい。例えば、テンポ情報は、楽曲の全再生時間のテンポの平均値、楽曲の所定の再生時間（例えば、１０秒）毎のテンポの最大値（所定の再生時間毎の複数のテンポのうち最大のテンポ）、又は、楽曲の所定の再生時間毎のテンポの最小値（所定の再生時間毎の複数のテンポのうち最小のテンポ）のうち、２以上から構成されていてもよい。なお、図３（ｂ）は、楽曲の全再生時間のテンポの平均値、及び、楽曲の所定の再生時間（例えば、１０秒）毎のテンポの最大値をＢＰＭとして表したものである。
【００３０】
また、テンポ情報として、ＢＰＭ以外の指標を用いてもよい。例えば、ユーザによって指定された時間単位のビート数をテンポ情報として用いてもよい。
【００３１】
なお、本発明の実施形態による電子機器４の処理を実行するためのプログラムをコンピュータ読み取り可能な記録媒体に記録して、当該記録媒体に記録されたプログラムをコンピュータシステムに読み込ませ、実行することにより、本発明の実施形態による電子機器４に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３３】
以上、この発明の実施形態について図面を参照して詳述してきたが、具体的な構成はこの実施形態に限られるものではなく、この発明の要旨を逸脱しない範囲の設計等も含まれる。
【符号の説明】
【００３４】
４…電子機器、１０…タッチセンサ、１２…表示画面、１４０…再生部、１５０…音声出力部、１９０…記憶部、２１０…ソート・グループ化部、２２０…選択部、２３０…動き検出部
【図１】
2013054335.tif 000003
【図２】
2013054335.tif 000004
【図３】
2013054335.tif 000005
【図４】
2013054335.tif 000006